(57)【要約】      （修正有）【課題】足底を靴の中底に完全にフィットさせ、歩行時に足底に負荷される衝撃を緩衝させ踵骨の回外位と回内位を防止する。【解決手段】カップインソールを本体部材２８、本体部材支持部材２９、踵部対応部材３０から構成し、カップインソールを高密度邸反発性ウレタンで成形し、踵部対応部材３０の踵に相当する箇所に高反発性ウレタン製部品５１を嵌合し、本体部材２８の底部から、内側アーチ保護部材３８と、外側アーチ保護部材３９と、第２踵部保護部材４０それぞれ連結して一体に立設し、第２ミッドフット部対応部を、本体部材支持部材２９の左右両側から幅方向中央に向かって、且つ、踵方向及び踏み付け部の両方から中央に向かって盛高構造にし、第２ミッドフット部対応部に、垂直方向に貫通孔を有し本体部材２８に穿設した挿入孔３５に挿入される少なくとも１個の突起４９を突設させる。【選択図】  図１０
2005205204.tif 000002
【特許請求の範囲】
【請求項１】
本体部材１と、本体部材１に接着され本体部材１と一体化される本体部材支持部材２から成るカップインソールであって、
（１）前記本体部材１が、第１爪先対応部材３と、第１踏み付け部対応部材４と、第１ミッドフット部対応部材５と、第１踵部対応部材６が一体となっていて、第１ミッドフット部対応部材５の厚さ方向に少なくとも１個の挿入孔７が穿設されていること、
（２）本体部材支持部材２が、
（イ）第２ミッドフット部対応部材８と、第２ミッドフット部対応部材８と連結された第２踵部対応部材９を含み、踏み付け部後端部に至る底部材１０を有していること、
（ロ）底部材１０から、内側アーチ保護部材１１と、外側アーチ保護部材１２と、第２踵部保護部材１３がそれぞれ連結して一体に立設されていること、
（ハ）第２ミッドフット部対応部材８が、本体部材支持部材２の左右両側から幅方向中央に向かって、且つ、踵方向及び踏み付け部の両方から中央に向かって盛高構造になっていること、
（ニ）第２ミッドフット部対応部材８に、垂直方向に貫通孔１４を有し、本体部材１に穿設した挿入孔７に挿入される少なくとも１個の突起１５を突設させたことを特徴とするカップインソール。
【請求項２】
本体部材１の踏み付け部対応部材４の厚さ方向に少なくとも１個の挿入孔１６を穿設し、本体部材支持部材２を爪先部対応１７にまで延長し、第２踏み付け部対応部材１８に垂直方向に貫通孔１９を有し、本体部材１に穿設した挿入孔１６に挿入される少なくとも１個の突起２０を突設させたことを特徴とする請求項１又は２に記載したカカップインソール。
【請求項３】
内側アーチ保護部材１１を、外側アーチ保護部材１２より高く形成した請求項１〜３のいずれか１項に記載したカップインソール。
【請求項４】
本体部材支持部材２の第２ミッドフット部対応部材８の裏面２２に、裏面２２の左右両側に開口部２３を有し相互に連通した通気溝２４を穿設し、通気溝２４を貫通孔１４と連通させた請求項１〜４のいずれか１項に記載したカップインソール。
【請求項５】
内側アーチ保護部材１１の裏面に沿って少なくとも１本の内側アーチ保護部材通気溝２５を穿設して前記通気溝２４と連通させ、外側アーチ保護部材１２の裏面に沿って少なくとも１本の外側アーチ保護部材通気溝２６を穿設して前記通気溝２４と連通させ、それにより前記貫通孔１４と、前記通気溝２４と、前記内側アーチ保護部材通気溝２５と、前記外側アーチ保護部材通気溝２６をそれぞれ連通させたことを特徴とする請求項５に記載したカップインソール。
【請求項６】
本体部材支持部材２の第２踵部対応部材９に、所定形状に成形された高衝撃吸収材２７を埋設した請求項１〜６のいずれか１項に記載したカップインソール。
【請求項７】
本体部材１が高密度低反発性ウレタンで成形されていて、本体部材支持部材２の第２踵部対応部材９に所定形状に成形された高反発性ウレタン製部材が埋設されていることを特徴とする請求項１〜７項に記載したカップインソール。
【請求項８】
本体部材１と本体部材支持部材２をそれぞれ別の成形方法で成形し、それぞれの硬度を変えたことを特徴とする請求項１〜７のいずれか１項に記載したカップインソール。
【発明の詳細な説明】
【技術分野】
【０００１】  本発明は、足底部の解剖学的構造に適応させ衝撃緩衝特性と、踵骨の回外位と回内位を防止する安定特性に優れたカップインソールに関し、さらに、本発明は、カップインソール本体部材に高密度低反発性ウレタンを使用し、踵部対応部材に高反発性ウレタンを埋設し、足底部を解剖学的構造にすることにより、足底全体の衝撃吸収性能を高め、歩行開始時に踵から接地する時に踵骨に負荷される体重以上の衝撃力を低減化することを特徴とするカップインソールに関する。
【従来技術】
【０００２】  従来から靴の中底と足裏の間に挿入する中敷が使用されている。たとえば、足底輪郭状をなし所要の間隔で多数の通孔を配した本体と、所要の高さを有し、通孔の所望のものに着脱可能に取付けられる複数個のツボ押し用突子を備えた履物用中敷が知られている（実用新案登録第３０１０９４４号）。
【０００３】  また、中敷における足があたる側の面の土踏まず部分及び指の付根部分に突出部を形成し、突出部に空気の流通路を設けた中敷が知られている（実開平５−４９０４号公報）。
【０００４】  また、中敷本体における足裏当接面の任意の位置に、上面側に１個又は複数のほぼ半球状の突起を有する複数個の独立した指圧部材を配置し、その上面には中敷本体の足裏当接面及び各指圧部材の上面形状に沿わせた状態で被覆シートを接着固定した履物用指圧部材が知られている（実開平５−４９０４号公報）。
【０００５】  また、中敷本体の上面において踵部を横切る線上箇所、土踏まず部を横切る線上箇所および踵部と土踏まず部との中間位置を横切る線上箇所に両端が中敷本体の内・外両側縁に達する若しくは近接する長さの蒲鉾状突出部を設けた履物用中敷が知られている（実用新案登録第３０１９２４９号）。
【０００６】  前述した従来技術は、いずれも、中敷本体に複数個の突起を設け、これにより指圧効果を得ることを目的とするものである。従って、これらの従来技術では、靴の中底上面の３次元構造と、足底の３次元構造との間の微妙な相違を補正し、足底を靴の中底に完全にフィットさせる機能と、歩行時に足底に負荷される衝撃を緩衝させる機能と、踵骨の回外位と回内位を防止する安定機能を満足させることができないという欠点があった。
【０００７】  また、前述した従来技術は、カップインソールの本体部材に高密度低反発性ウレタンを使用することにより衝撃吸収性能を高め、踵部対応部材に高反発性ウレタンを埋設することにより歩行開始時に踵から接地する時に踵骨に負荷される体重以上の衝撃力を低減化するという設計思想と、足底部を解剖学的構造に適応させて衝撃緩衝特性を高め、踵骨の回外位と回内位を防止する安定特性に付与するという設計思想を組み合わせたものではない。
【特許文献１】実用新案登録第３０１０９４４号公報明細書
【特許文献２】実開平５−４９０４号公報明細書
【特許文献３】実用新案登録第３０１９２４９号公報明細書
【発明の開示】
【発明が解決しようとする課題】
【０００８】  本発明が解決しようとする課題は、カップインソールに解剖学的構造を与えることにより、靴の中底上面の３次元構造と、足底の３次元構造との間の微妙な相違を補正し、足底を靴の中底に完全にフィットさせる、歩行時に足底に負荷される衝撃を緩衝させ、踵骨の回外位と回内位を防止することである。【０００９】  さらに本発明が解決しようとする課題は、カップインソールの本体部材に、高密度低反発性ウレタンフォームを使用し、踵部対応部材に所定の形状に成形した高反発性ウレタンフォーム製部材を埋設することにより、歩行時の衝撃をカップインソールの本体部材全面に吸収させ、踵が接地するときに踵に負荷される体重より大きな荷重を踵部対応部材に埋め込んだ高反発性ウレタンフォーム部材で吸収することである。【００１０】  さらに本発明が解決しようとする別の課題は、カップインソールに空気流通効果と、ミッドフット部に対する指圧効果を奏功させることである。
【課題を解決するための手段】
【００１１】  本発明で使用する用語「解剖学的構造」とは、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造と定義する。【００１２】  本発明で使用する用語「ミッドフット部」とは、５個の中足骨と３個の楔状骨によって構成される横アーチに対応する箇所と定義する。以下「ミッドフット部」をＭＦと略記する場合がある。【００１３】  本発明で使用する用語「高密度低反発性ウレタン」とは、スポンジ状ウレタンを高密度（２２．２ｋｇｍ−３以上）にしたウレタンフォームと定義する。【００１４】  高密度低反発性ウレタンの１例として、２５％圧縮が５．４ｋｇｆ、６０％圧縮が９．８ｋｇｆ、引き裂き強度が４７３Ｎｍ−１、引張強度が１３４．４ｋＰａ、伸度が２７５％、圧縮永久ひずみが４．１％の物理的性質を有するものがある。その特徴は、荷重が負荷された場合、荷重をゆっくり受け、ゆっくり戻すという特性がある。【００１５】  従って、カップインソールの本体部材に、高密度低反発性ウレタンフォームを使用することにより、歩行時の衝撃をカップインソールの本体部材全面に分散吸収させることができる。【００１６】  本発明で使用する用語「高反発性ウレタン」とは、いわゆる通常の軟質ウレタンで低密度で弾力性に富んだウレタンフォームと定義する。【００１７】  高反発性ウレタンは、ヘタリが少なく、弾力性に富んでいるので、所定の形状、たとえば円板形、楕円形等に成形して、踵部対応部材に埋設することにより、踵が接地するときに踵に負荷される体重より大きな荷重を踵部対応部材に埋設した高反発性ウレタンフォーム部材で吸収することができる。【００１８】  本発明者は、カップインソールを解剖学的構造にすること、及びカップインソールの本体に高密度低反発性ウレタンを使用し、踵部対応部材に所定の形状に成形した高反発性ウレタン部品を埋設して解剖学的構造にすることにより上記課題を解決した。即ち、本発明によると上記課題は次のようにして解決される。【００１９】（１）本体部材と本体部材支持部材が一体に接合されたカップインソールにおいて、前記本体部材を、第１爪先対応部材と、第２踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させる。【００２０】（２）本体部材と��体部材支持部材が一体に接合されたカップインソールにおいて、前記本体部材を、第１爪先対応部材と、第１踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させたカップインソールにおいて、本体部材を高密度低反発性ウレタンで成形し、本体部材支持部材の第２踵部対応部材に所定形状に成形した高反発性ウレタン製部材を埋設する。【００２１】（３）本体部材と本体部材支持部材が一体に接合されたカップインソールにおいて、前記本体部材を、第１爪先対応部材と、第２踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させ、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、さらに内側アーチ保護部材を、外側アーチ保護部材より高く形成する。【００２２】（４）本体部材と本体部材支持部材が一体に接合されたカップインソールにおいて、前記本体部材を、第１爪先対応部材と、第１踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２��ッドフット部対応部材に、垂直方向に貫通孔を有し、本体部材に穿設した挿入孔に挿入される少なくとも１個の突起を突設させ、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、さらに本体部材支持部材の第２ミッドフット部対応部材の裏面に、裏面の左右両側に開口部を有し相互に連通した通気溝を穿設し、通気溝を貫通孔と連通させる。【００２３】（５）本体部材と本体部材支持部材が一体に接合されたカップインソールにおいて、前記本体部材を、第１爪先対応部材と、第１踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させ、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、さらに本体部材支持部材の第２ミッドフット部対応部材の裏面に、裏面の左右両側に開口部を有し相互に連通した通気溝を穿設し、通気溝を貫通孔と連通させ、内側アーチ保護部材の裏面に沿って少なくとも１本の内側アーチ保護部材通気溝を穿設して前記通気溝と連通させ、外側アーチ保護部材の裏面に沿って少なくとも１本の外側アーチ保護部材通気溝を穿設して前記通気溝と連通させ、それにより前記貫通孔と、前記通気溝と、前記内側アーチ保護部材通気溝と、前記外側アーチ保護部材通気溝をそれぞれ連通させる。【００２４】（６）本体部材と本体部材支持部材が一体に接合��れたカップインソールにおいて、前記本体部材を、第１爪先対応部材と、第１踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させ、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、さらに本体部材支持部材の第２ミッドフット部対応部材の裏面に、裏面の左右両側に開口部を有し相互に連通した通気溝を穿設し、通気溝を貫通孔と連通させ、内側アーチ保護部材の裏面に沿って少なくとも１本の内側アーチ保護部材通気溝を穿設して前記通気溝と連通させ、外側アーチ保護部材の裏面に沿って少なくとも１本の外側アーチ保護部材通気溝を穿設して前記通気溝と連通させ、それにより前記貫通孔と、前記通気溝と、前記内側アーチ保護部材通気溝と、前記外側アーチ保護部材通気溝をそれぞれ連通させ、さらに本体部材支持部材の第２踵部対応部材に、衝撃吸収材を埋設する。【００２５】（７）本体部材と本体部材支持部材が一体に接合されたカップインソールにおいて、前記本体部材を、第１爪先対応部材と、第２踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させたものにおいて、本体部材を高密度低反発性ウレタンで成形し、本体部材支��部材の第２踵部対応部材に所定形状に成形された高反発性ウレタン製部材を埋設する。
（８）本体部材と本体部材支持部材が一体に接合されたカップインソールにおいて、前記本体部材を、第１爪先対応部材と、第１踏み付け部対応部材と、第１ミッドフット部対応部材と、第１踵部対応部材を一体として形成し、第１ミッドフット部対応部材の厚さ方向に少なくとも１個の挿入孔を穿設し、本体部材支持部材を、第２ミッドフット部対応部材と、第２ミッドフット部対応部材と連結された第２踵部対応部材から成り、踏み付け部後端部に至る底部材として構成し、底部材から、内側アーチ保護部材と、外側アーチ保護部材と、踵部保護部材をそれぞれ連結して一体に立設し、第２ミッドフット部対応部材を、本体部材支持部材の左右両側から幅方向中央に向かって、且つ、踵方向及び踏み付け部の両方から中央に向かって盛高構造にし、第２ミッドフット部対応部材に、垂直方向に貫通孔を有し、本体部材に穿設した挿入孔に挿入される少なくとも１個の突起を突設させ、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、本体部材の踏み付け部対応部材の厚さ方向に少なくとも１個の挿入孔を穿設し、本体部材支持部材を爪先部にまで延長し、第２踏み付け部対応部材に垂直方向に貫通孔を有し、本体部材に穿設した挿入孔に挿入される少なくとも１個の突起を突設させ、内側アーチ保護部材を、外側アーチ保護部材より高く形成し、さらに本体部材支持部材の第２ミッドフット部対応部材の裏面に、裏面の左右両側に開口部を有し相互に連通した通気溝を穿設し、通気溝を貫通孔と連通させ、内側アーチ保護部材の裏面に沿って少なくとも１本の内側アーチ保護部材通気溝を穿設して前記通気溝と連通させ、外側アーチ保護部材の裏面に沿って少なくとも１本の外側アーチ保護部材通気溝を穿設して前記通気溝と連通させ、それにより前記貫通孔と、前記通気溝と、前記内側アーチ保護部材通気溝と、前記外側アーチ保護部材通気溝をそれぞれ連通させ、さらに本体部材支持部材の第２踵部対応部材に、衝撃吸収材を埋設するカップインソールにおいて、本体部材と本体部材支持部材をそれぞれ別の成形方法で成形し、それぞれの硬度を変える。
【発明の効果】
【００２６】  請求項１に記載した発明により、カップインソールを、本体部材と本体部材支持部材の２つの部材に分け、本体部材支持部材を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造としたので、内側アーチ保護部材により内側アーチが保護され、外側アーチ保護部材により外側アーチが保護され、第２踵部保護部材により踵周囲が保護され、第２ミッドフット部を厚くしたことにより横アーチに対応する箇所が保護され、踵部保護部材により、踵骨の回外位と回内位を防止する安定機能を満足させることができ、ミッドフット部を厚くしたことにより横アーチに対応する箇所が保護される【００２７】  請求項１に記載した発明により、第２ミッドフット部対応部材に、垂直方向に貫通孔を有し、本体部材に穿設した挿入孔に挿入される少なくとも１個の突起を突設させたので、ミッドフット部、即ち、５個の中足骨と３個の楔状骨によって構成される横アーチに対応する箇所が、歩行時絶えず突起により刺激され、いわゆるマッサージ効果が奏功される。【００２８】  さらに、請求項１に記載した発明によると、突起を、垂直方向に貫通孔を穿設して、中空状態にしたので、違和感が軽減され、歩行時絶えず空気が流通する通気機構となる。【００２９】  請求項２に記載した発明により、本体部材の踏み付け部対応部材の厚さ方向に少なくとも１個の貫通孔を穿設し、本体部材支持部材を爪先部にまで延長し、第２踏み付け部対応部材に垂直方向に貫通孔を有し、本体部材に穿設した挿入孔に挿入される少なくとも１個の突起を突設させたので、前記請求項１に記載した発明による効果に加えて、足裏の踏み付け部が、歩行時絶えず突起により刺激され、いわゆるマッサージ効果が奏功され、さらに、突起は、垂直方向に貫通孔を穿設して中空状態にしたので、違和感が軽減され、歩行時絶えず空気が流通する通気機構となる。【００３０】  請求項３に記載した発明によると、内側アーチ保護部材を、外側アーチ保護部材より高くしたので、土踏まずの主体である内側アーチが保護され、足の回内位が防止される。【００３１】  請求項４に記載した発明によると、本体部材支持部材の第２ミッドフット部対応部材の裏面に、裏面の左右両側に開口部を有し相互に連通した通気溝を穿設し、通気溝を貫通孔と連通させたので、カップインソールの垂直方向に排気された空気が、カップインソールの幅方向に排気され、通気効率が拡大される。【００３２】  請求項５に記載した発明によると、内側アーチ保護部材の裏面に沿って少なくとも１本の内側アーチ保護部材通気溝を穿設して前記通気溝と連通させ、外側アーチ保護部材の裏面に沿って少なくとも１本の外側アーチ保護部材通気溝を穿設して前記通気溝と連通させ、それにより前記貫通孔と、前記通気溝と、前記内側アーチ保護部材通気溝と、前記外側アーチ保護部材通気溝をそれぞれ連通させたので、カップインソールの垂直方向に排気された空気が、カップインソールの幅方向と、さらに内側ア���チ保護部材の壁面裏面と、外側アーチ保護部材の壁面裏面に沿って排気され、通気効率が一層拡大される。【００３３】  請求項６に記載した発明によると、本体部材支持部材の第２踵部対応部材に、所定形状に成形した衝撃吸収材を埋設したので、歩行時踵に負荷される衝撃が緩和される。【００３４】  請求項７に記載した発明によると、本体部材を高密度低反発性ウレタンで成形したので、歩行時に「足がゆっくり沈み、ゆっくり戻る低反発性」による衝撃吸収性能を高め、且つ本体部材支持部材の第２踵部対応部材に所定形状に成形した高反発性ウレタン製部材を埋設したので、歩行開始時に踵から接地する時に踵骨に負荷される体重以上の衝撃力を低減化することができる。【００３５】  請求項８に記載した発明によると、本体部材と本体部材支持部材をそれぞれ別の成形方法で成形しそれぞれの硬度を変えたので、本体部材がヘタル際、本体部材支持部材に突設された中空の突起が足裏を刺激することができる。
【発明を実施するための最良の形態】
【００３６】  以下、本発明の実施例を、添付図面を参照して説明する。尚、添付図面において、本体部材１と本体部材支持部材２のそれぞれ同じ箇所に対応する部材に関しては、本体部材１のそれに「第１」を、本体部材支持部材２のそれに「第２」を冠して区分けした。即ち、本体部材１の爪先部対応部材３に「第１」を、本体部材支持部材２の爪先部対応部材１７に「第２」を、本体部材１のミッドフット部対応部材８に「第１」を、本体部材支持部材２のミッドフット部対応部材８に「第２」を、本体部材１の踵部対応部材６に「第１」を、本体部材支持部材２の踵部対応部材９に「第２」を冠した。【００３７】  本発明によるカップインソールは、第１義的には、足底部の解剖学的構造に適応させることにより衝撃緩衝特性を高め、且つ踵骨の回外位と回内位を防止するような設計にしたことを特徴とするので、本体部材と本体部材支持部材の材料は特段に限定されない。即ち、天然または合成ゴム、熱可塑性樹脂等従来から使用されている材料から任意に選択される。たとえば、ＥＶＡ（ｅｔｈｙｌｅｎｅ−ｖｉｎｙｌ  ａｃｅｔａｔｅ  ｃｏｐｏｌｙｍｅｒ）が使用される。この場合、本体部材と本体部材支持部材を同じ材料にしても、異種の材料にしてもよい。【００３８】  また、本体部材と本体部材支持部材をそれぞれ別の成形方法で成形し、それぞれの硬度を変えたることが好ましい。このことにより、本体部材がヘタル際、本体部材支持部材に突設された中空の突起が足裏を刺激することができる。【００３９】  また、カップインソールの本体部材に高密度低反発性ウレタンを使用し、踵部対応部材に高反発性ウレタンを埋設し、且つ足底部を解剖学的構造にすることにより、足底全体の衝撃吸収性能を高め、歩行開始時に踵から接地する時に踵骨に負荷される体重以上の衝撃力を低減化することが出来る。【００４０】  人がコンクリートの路上を踵をつきながら走行している時、通常、踵に重力の１７倍の力が加わると言われている。また、たとえば５センチ跳躍した場合、足には静止時の体重の２０％増の力が加わると言われている。この衝撃力は足だけではなく、膝や腰にも伝達される。従って、踵部材に衝撃吸収材を埋設することによって、歩行時足に負荷される衝撃を吸収することが重要である。【００４１】  衝撃吸収材は、反発弾性を有していることも重要である。反発弾性とは衝撃吸収材が弾むか否かの指標である。反発弾性は下記の方程式で表される。
反発弾性（％）＝（衝突エネルギ一−吸収エネルギー）÷衝突エネルギー
たとえば、ある衝撃吸収材の反発弾性エネルギーが２０％とは、１０ｃｍの高さからその衝撃吸収材の上に、ある球を落下させた時２ｃｍだけ跳ね返ることを意味する。従って、高い反発弾性をもった衝撃吸収材を使用することが好ましい。【００４２】  また、本発明では衝撃吸収材として、下記に例示するものから任意に選択することができる。【００４３】（１）高反発性ウレタン【００４４】（２）一般ＥＶＡ（ｅｔｈｙｌｅｎ  ｖｉｎｙｌ  ａｃｅｔａｔｅ）
比重０．３〜０．４程度でクッション性に富み、コストも比較的安い。しかし、反復使用するとヘタリが発生するという欠点がある。【００４５】（３）コンプレッションＥＶＡ
板状の一般ＥＶＡを加圧、加熱加工した後、冷却し成形したもので、一般ＥＶＡに替わって使用されるようになった。圧縮成形することで、一般ＥＶＡの欠点であるヘタリを解消し、安定した性能を得ることができる。また、冷却成形時に任意の形状にすることによって異種の材料を組み込むことができ、さらに衝撃吸収性に優れ、軽量化をはかることができる。【００４６】（４）ソルボセイン（ｓｏｒｂｏｔｈａｎｅ）
粘弾性をもつポリウレタン系のゴムの一種で、固体のような形状を保持し、液体のように動き、容易に復元するという特性をもっている。【００４７】（５）トランスパワー（ｔｒａｎｓｐｏｗｅｒ）
衝撃吸収能力が高いソルボセインと、反発弾性に優れた新素材Ｈ−２を組み合わせた衝撃吸収材である。トランスパワーは、吸収拡散されるだけであった踏み付け時のパワーを、足を痛めることなく、高い反発力に転換できる。【００４８】（６）αゲル（αｇｅｌ）
シリコンをベースに特殊な分子結合触媒などを配合したゼリー状物質で、これまでの各種衝撃吸収材と比較して２０〜３０％以上の衝撃吸収能力を有している。【００４９】（７）ゲル・チャージャー（ｇｅｌ  ｃｈａｒｇｅｒ）
ＥＶＡと比較して１．７倍も反発弾性の強いスーパーゴムを組み込んだものである。【００５０】（８）アブソジェル（ａｂｓｏｇｅｌ）
ゼリー状の特殊合成樹脂で、粘弾性に富み、衝撃吸収性および応力分散性に優れている。また、低反発特性をもち、衝撃・振動の吸収にも優れている。【００５１】（９）ハイドロフロー・ユニット（ｈｙｄｒｏ  ｆｌｏｗ  ｕｎｉｔ）
２室に分かれたユニット内にシリコン液を内蔵して、運動時にシリコン液が両室内を移動することにより衝撃吸収性および反発弾性を有し、優れた効果を奏功する。【００５２】（１０）ダイナコイル（ｄｙｎａｃｏｉｌ）
衝撃吸収およびエネルギーの再分配に優れたクッショニングシステムであっる。３次元合成モノフィラメントの繊維からなるクッションが特徴で、カプセル化した部分を圧縮成形した二重運動制御リムで囲繞した素材である。【００５３】  そのほかに、メディカル・ソール・サスペックス、アブソーブ９０，デリンジャーウェッブネット、パワーリターン・エアコイルシステム、フローリアン、ビブラソーブ、ＬＭＳ（ｌａｔｅｒａｌ  ｍｏｒｔｉｏｎ  ｓｔａｂｉｌｉｚｅｒ），ＣＡＴＳ（ｃｅｌｌ  ａｄｖａｎｃｅ  ｔｅｃｈｎｏｌｏｇｙ），メモリーフォーム、フィットセル、フレキシテックス等多種多様な衝撃吸収材から選択することができる。
【実施例１】
【００５４】  図１は、本発明によるカップインソールの一例を示す斜視図である。本発明のカップインソールは、本体部材１と、本体部材支持部材２とが一体に接合された構造になっている。尚、この実施の形態で使用する本体部材支持部材２は、その長さが踏み付け部の後端までである、即ち足の半分の長さであるので「ハーフカップ」ということもあるが、本体部材支持部材と同義と理解されるべきである。【００５５】  本体部材１は、第１爪先部対応部材３と、第１踏み付け部対応部材４と、第１ミッドフット部対応部材５と、第１踵部対応部材６が連結され一体となっていて、第１ミッドフット部対応部材５の厚さ方向に少なくとも１個の挿入孔７が穿設されている。【００５６】  本体部材支持部材２は、第２ミッドフット部対応部材８と、第２ミッドフット部対応部材８と連結された第２踵部対応部材９から成る底部材１０から構成されている。底部材１０は長手方向に踏み付け部後端部にまで至っている。【００５７】  本体部材支持部材２の底部材１０からは、内側アーチ保護部材１１と、外側アーチ保護部材１２と、踵部保護部材１３がそれぞれ連結して一体に立設されている。【００５８】  本体部材支持部材２の第２ミッドフット部対応部材８は、本体部材支持部材２の左右両側から幅方向中央に向かって、且つ、踵方向及び踏み付け部の両方から中央に向かって盛高構造になっている。第２ミッドフット部対応部材８には、垂直方向に貫通孔１４を有し、本体部材１に穿設した挿入孔７に挿入されるる少なくとも１個の突起１５が突設されている。【００５９】  この構造を図３〜６を参照して説明する。図３は本体部材支持部材２の上面図で、図４は図３のＩ−Ｉ面に沿った断面図、図５は図３のＩＩ−ＩＩ面に沿った断面図、図６は図３のＩＩＩ−ＩＩＩ面に沿った断面図である。図３を参照すると、本体部材支持部材２の第２ミッドフット対応部材８には、突起１５が突設されていること、突起１５には垂直方向に貫通孔１４が穿設されていることが理解される。突起１５は、本体部材１に穿設した挿入孔７に挿入されるようになっている。【００６０】  図４を参照すると、本体部材支持部材２の第２ミッドフット部対応部材８が、第２踵部対応部材９及び踏み付け部１０の両方から中央に進むに従って盛高構造になっていること、及び突起１５が突設されていて、突起１５には垂直方向に貫通孔１４が穿設されていることが理解される。【００６１】  また、図５を参照すると、本体部材支持部材２の第２ミッドフット部対応部材８が、本体部材支持部材２の左右両側から幅方向中央に進むに従って盛高構造になっていることが理解される。第２ミッドフット部対応部材８の盛高構造の高さ等は特段に限定されないが、盛高構造部分の最高部において、突起１５の先端から底面まで５〜８ｍｍの範囲が好ましい。突起１５の先端から底面までの高さが５ｍｍ以下の場合、マッサージ効果が薄れる為、好ましくない。逆に、突起１５の先端から底面までの高さが８ｍｍ以上の場合、足あたりが強くなる為、好ましくない。【００６２】  また、第２ミッドフット部対応部材８から立設される内側アーチ保護部材１１は、内側アーチに沿って、外側アーチ保護部材１２は、外側アーチに沿って立設されればよく、それぞれの角度は特段に限定されない。【００６３】  また、図６は図３のＩＩＩ−ＩＩＩ面に沿った断面図で、本体部材支持部材２の第２踵部対応部材９の断面を示している。図６を参照すると第２踵部対応部材９の厚さはほぼ均厚であることが理解される。第２踵部対応部材９の厚さは特段に限定されないが、１〜２．５ｍｍの範囲が好ましい。第２踵部対応部材９の厚さが１ｍｍ以下の場合、破れが生じる為、好ましくなく、逆に、２．５ｍｍ以上の場合、足入れが変わる為、好ましくない。【００６４】  また、第２踵部対応部材９から、内側アーチ保護部材１１及び外側アーチ保護部材１２と一体に立設される第２踵部保護部材１３は、それぞれ踵外側及び内側カーブに沿って立設され、それぞれの角度は特段に限定されない。【００６５】  次に、本体部材支持部材２の裏面、内側アーチ保護部材１１及び外側アーチ保護部材１２に穿設される通気溝に関して図７〜９を参照して説明する。図７は、図２において内側アーチ保護部材１１を外側から観察した側面図、図８は、図２において外側アーチ保護部材１２を外側から観察した側面図、図９は本発明のカップインソールの底面図である。【００６６】  図９において、２１は、本体部材１の第１爪先部対応部材３の裏面２１である。２２は本体部支持部材２の第２踏み付け部対応部材１０の裏面である。図９を参照すると、本体部支持部材２の第２ミッドフット対応部材８の裏面の左右両側に開口部２３を有し相互に連通した通気溝２４が穿設されていること、さらに、この通気溝２４が貫通孔１４と連通させてあることが理解される。【００６７】  また、図９及び図７を参照すると、内側アーチ保護部材１１の裏面に沿って少なくとも１本の内側アーチ保護部材通気溝２５が穿設されていて、この内側アーチ保護部材通気溝２５が前記通気溝２４と連通されていることが理解される。【００６８】  また、図９及び図８を参照すると、外側アーチ保護部材１２の裏面に沿って少なくとも１本の外側アーチ保護部材通気溝２６が穿設されていて、この外側アーチ保護部材通気溝２６が前記通気溝２４と連通されていることが理解される。【００６９】  このようにして、本体部材支持部材２の第２ミッドフット部対応部材８に垂直に穿設された貫通孔１４と、本体部材支持部材２の第２ミッドフット部対応部材８の裏面に穿設された通気溝２４と、内側アーチ保護部材通気溝２５と、外側アーチ保護部材通気溝２６が連通されている。【００７０】  図９の２７は本体部材支持部材２の第２踵部対応部材９に埋設された衝撃吸収材である。
【実施例２】
【００７１】  図２は、本発明の実施例２を示す底面図である。図２に示した実施例２は、本体部材１の第１踏み付け部対応部材４の厚さ方向に少なくとも１個の挿入孔１６を穿設し、本体部材支持部材２を第２爪先部１７にまで延長し、第２踏み付け部対応部材１８に少なくとも１個の突起１９を突設させてある。突起１９には、垂直方向に貫通孔１９が穿設されている。この突起１９は、本体部材１の第１踏み付け部対応部材４の厚さ方向に穿設した挿入孔１６に挿入されるようになっている。その他の構造、効果は実施例１と同じである。従って、それらに関する説明は割愛する。
【実施例３】
【００７２】  図１０は、本発明の実施例３によるカップインソールを示す分解組立図である。本発明の実施例３によるカップインソールは、本体部材２８、本体部材支持部材２９、及び踵部対応部材３０とから構成されている。尚、実施例３で使用する踵部対応部材３０は、その長さが踏み付け部の後端までである、即ち足の半分の長さであるので「ハーフカップ」ということもある。【００７３】  本体部材２８は、密度が２２．２ｋｇｍ−３以上の高密度低反発性ウレタンフォームで成形されている。従って、歩行時に、体重をゆっくり受け、ゆっくり戻すという特性があるので、歩行時の衝撃をカップインソールの本体部材全面に分散吸収させることができる。【００７４】  通常、走行時には体重の２倍、跳躍時には体重の６倍の衝撃が膝、および足に負荷される。本体部材２８に高密度低反発性ウレタンフォームを使用することにより、足指全部と中足骨部が本体部材２８に正しく密着し、本体部材２８の上で足指全部を動かすことができ、踵を確実に固定することができるので、足を安定な状態に維持し衝撃を緩和し、特に走行時、膝および足に負荷される体重の２倍、跳躍時に負荷される体重の６倍の衝撃を軽減することができる。【００７５】  本体部材２８は、第１爪先部対応部材３１と、第１踏み付け部対応部材３２と、第１ミッドフット部対応部材３３と、第１踵部対応部材３４が連結され一体となっていて、第１ミッドフット部対応部材３３の厚さ方向に挿入孔３５が穿設されている。本体部材２８の第２踏み付け部には、左右両側に開口し相互に連通した通気溝３６が穿設されている。通気溝３６は、歩行時の足の靴内におけるスライディング動作により、暖かく湿った空気を通気溝３６の左右の開口から排気する機能がある。【００７６】  本体部材支持部材２９の底部材３７からは、内側アーチ保護部材３８と、外側アーチ保護部材３９と、踵部保護部材４０がそれぞれ連結して一体に立設されている。【００７７】  本体部材支持部材２９の第２ミッドフット部対応部４１は、本体部材支持部材２９の左右両側から幅方向中央に向かって、且つ、踵方向及び踏み付け部の両方から中央に向かって盛高構造にしてもよい。第２ミッドフット部対応部材４１には、垂直方向に挿入孔４２が穿設されている。貫通孔４２の個数は、本体部材２８に穿設した挿入孔３５の個数と同じで、それぞれの位置に正確に対応している。また内側アーチ保護部材３８には貫通孔４３が穿設されている。【００７８】  踵部対応部材３０は、ＥＶＡを射出成形したものである。底踵部対応部材３０の底部材４４からは、内側アーチ保護部材４５と、外側アーチ保護部材４６と、踵部保護部材４７がそれぞれ連結して一体に立設されている。内側アーチ保護部材４５には貫通孔４８が穿設されている。貫通孔４８の個数は、本体部材支持部材２９の内側アーチ保護部材３８の貫通孔４３と同じで、それぞれの位置に正確に対応するようになっている。【００７９】  踵部対応部材３０の底部材４４の内側アーチ保護部材４５寄りに、突起４９を突設させてある。突起４９は、本体部材支持部材２９の挿入孔４２，及び本体部材２８の挿入孔３５に挿入されるようになっている。【００８０】  踵部対応部材３０の踵に相当する箇所は、ほぼ楕円形の陥凹部５０が穿設されている。陥凹部５０には、陥凹部５０の形状と同じ形状に成形した高反発性ウレタン製部品５１が嵌合されるようになっている。【００８１】  尚、実施例１０において参照した図１０では、部品２８（本体部材）と部品２９（本体部材支持部材）を別体として説明したが、部品２８（本体部材）と部品２９（本体部材支持部材）を一体に成形し、部品２８（本体部材）に部品３８（内側アーチ保護部材）、３９（外側アーチ保護部材）及び４０（踵部保護部材）を突設することも可能である。むしろ、実際の製造段階では、成形性、全体としての強度の観点からこの方が好ましい。従って、部品２８（本体部材）と部品２９（本体部材支持部材）を一体に成形し、部品２８（本体部材）に部品３８（内側アーチ保護部材）、３９（外側アーチ保護部材）及び４０（踵部保護部材）を突設する構成も当然本発明の範囲に包含される。
【産業上の利用分野】
【００８２】  以上述べたように、本発明のカップインソールは、本体部材と本体部材支持部材の２つの部材に分け、本体部材支持部材を、距骨、舟状骨、内側楔状骨を越えて第１中足骨に伸長する内側アーチと、踵骨結節から立方骨を通り第５中足骨に伸長する外側アーチと、５個の中足骨と３個の楔状骨によって構成される横アーチと、第１中足骨から第５中足骨にかけて伸長する前アーチから成るアーチと、踵部周囲を保護する３次元立体構造としたので、内側アーチ保護部材により内側アーチが保護され、外側アーチ保護部材により外側アーチが保護され、第２踵部保護部材により踵周囲が保護され、第２ミッドフット部を厚くしたことにより横アーチに対応する箇所が保護され、踵部保護部材により、踵骨の回外位と回内位を防止する安定機能を満足させることができ、ミッドフット部を厚くしたことにより横アーチに対応する箇所が保護され、さらに、第２ミッドフット部対応部材に、垂直方向に貫通孔を有し、本体部材に穿設した挿入孔に挿入される少なくとも１個の突起を突設させたので、ミッドフット部、即ち、５個の中足骨と３個の楔状骨によって構成される横アーチに対応する箇所が、歩行時絶えず突起により刺激され、いわゆるマッサージ効果が奏功され、また突起を、垂直方向に貫通孔を穿設して、中空状態にしたので、違和感が軽減され、歩行時絶えず空気が流通する通気機構となり、所望により本体部材を高密度低反発性ウレタンで成形したので、歩行時に「足がゆっくり沈み、ゆっくり戻る低反発性」による衝撃吸収性能を高め、且つ本体部材支持部材の第２踵部対応部材に所定形状に成形した高反発性ウレタン製部材を埋設したので、歩行開始時に踵から接地する時に踵骨に負荷される体重以上の衝撃力を低減化することができるので、足を健康状態に維持して歩行用靴としてもスポ−ツ靴としても利用できる。
【図面の簡単な説明】
【００８３】
【図１】本発明の実施例１によるカップインソールの分解図。
【図２】本発明の実施例２によるカップインソールの分解図。
【図３】本発明の実施例１によるカップインソールの本体部材支持部材の上面図。
【図４】図３のＩ−Ｉ面に沿った断面図。
【図５】図３のＩＩ−ＩＩ面に沿った断面図。
【図６】図３のＩＩＩ−ＩＩＩ面に沿った断面図。
【図７】図２の内側アーチ保護部材側面図。
【図８】図２の外側アーチ保護部材側面図。
【図９】本発明のカップインソールの１例の底面図。
【図１０】本発明の実施例３によるカップインソールの分解図。
【符号の説明】
【００８４】１    カップインソール本体部材
２    本体部材支持部材
３    第１爪先部対応部材
４    第１踏み付け部応部材
５    第１ミッドフット部対応部材
６    第１踵部対応部材
７    挿入孔
８    第２ッドフット部対応部材
９    第２踵部対応部材
１０  底部材
１１  内側アーチ保護部材
１２  外側アーチ保護部材
１３  踵部保護部材
１４  貫通孔
１５  突起
１６  挿入孔
１７  第２爪先部対応部材
１８  第２踏み付け部対応部材
１９  貫通孔
２０  突起
２１  第１爪先部対応部材３の裏面
２２  第２踏み付け部材対応部材の裏面
２３  開口部
２４  通気溝
２５  内側アーチ保護部材通気溝
２６  外側アーチ保護部材通気溝
２７  衝撃吸収部材
２８  本体部材
２９  本体部材支持部材
３０  踵部対応部材
３１  第１爪先部対応部材
３２  第１踏み付け部対応部材
３３  第１ミッドフット部対応部材
３４  第１踵部対応部材
３５  挿入孔
３６  通気溝
３７  底部材
３８  内側アーチ保護部材
３９  外側アーチ保護部材
４０  踵部保護部材
４１  第２ミッドフット部対応部
４２  挿入孔
４３  貫通孔
４４  底部材
４５  内側アーチ保護部材
４６  外側アーチ保護部材
４７  踵部保護部材
４８  貫通孔
４９  突起
５０  陥凹部
５１  高発性ウレタン製部品
【図１】
2005205204.tif 000003
【図２】
2005205204.tif 000004
【図３】
2005205204.tif 000005
【図４】
2005205204.tif 000006
【図５】
2005205204.tif 000007
【図６】
2005205204.tif 000008
【図７】
2005205204.tif 000009
【図８】
2005205204.tif 000010
【図９】
2005205204.tif 000011
【図１０】
2005205204.tif 000012